(57)【要約】【課題】  移動端末の電池の延命化をはかると共に、一層の性能向上をはかった情報収集・提供システムを構築する。【解決手段】  情報収集・提供手段が、移動端末１により無線で起動された固定センサ装置２１（２２）により収集された環境情報をネットワーク５経由でセンタ装置６へ送信し、当該センタ装置６で環境情報を蓄積し、更にネットワークに接続された情報読出し装置７からの要求に基づき蓄積された環境情報を提供する。【選択図】  図１
2005311716.tif 000002
【特許請求の範囲】
【請求項１】
移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムであって、
前記移動端末により前記固定センサ装置を無線により起動し、前記固定センサ装置により収集された前記環境情報を前記ネットワーク経由で前記センタ装置へ送信し、
前記センタ装置で前記環境情報を蓄積し、前記ネットワークに接続された情報読出し装置からの要求に基づき前記蓄積した環境情報を提供する情報収集・提供手段、
を具備したことを特徴とする情報収集・提供システム。
【請求項２】
前記移動端末は、所有するユーザに固有の識別情報を含む利用要求信号を所定の間隔（Ts）で同報送信し、
前記固定センサ装置は、前記利用要求信号を受信して電波強度が基準値以上であることを確認し、前記識別情報を読み取ってサービス利用可能なユーザであることを確認した後、前記環境情報のセンシングを行い、前記利用要求信号の受信時刻に関連付けられたセンサデータを生成して、当該センサデータと、前記利用要求信号に含まれるユーザ識別情報から成るセンサ信号を生成することを特徴とする請求項１に記載の情報収集・提供システム。
【請求項３】
前記固定センサ装置は、前記ネットワークを介して前記生成されたセンサ信号を前記センタ装置へ送信し、
前記センタ装置は、前記送信を受けたセンサ信号からセンサデータとユーザ識別情報とを読出して、当該センサデータと前記ユーザ識別情報の組を記憶手段に蓄積し、前記ネットワークに接続された情報読出し端末から当該情報読出し端末の所有ユーザに固有のユーザ識別情報を含むセンサ情報提供要求を受信したときに、前記移動端末を所有するユーザのユーザ識別情報との照合を行い、一致もしくは対応する場合に、前記ユーザに属するセンサ情報を読出して、前記ネットワークを介してセンサ情報提供要求のあった前記情報読出し端末に送信することを特徴とする請求項１または２に記載の情報収集・提供システム。
【請求項４】
前記移動端末は、
前記利用要求信号発信後、時間Trの間（但し、Tr<Ts）、前記固定センサ装置からの利用者確認信号の受信を待ち、前記時間Tr内に利用者確認信号を受信したときに、前記受信待ちを中断して、利用者確認信号に含まれる装置識別情報を読み取り、前記移動端末を所有するユーザに固有のユーザ識別情報と、前記利用者確認信号に含まれる装置識別情報を含む利用者確認応答信号を送信し、
前記固定センサ装置は、
前記利用要求信号を受信したときに、電波強度が基準値以上であることを確認し、前記利用要求信号に含まれるユーザ識別情報を読み取り、サービス利用可能なユーザであることを確認し、前記固定センサ装置に固有の装置識別情報と、前記利用要求信号に含まれるユーザ識別情報を含む前記利用者確認信号を送信した後、環境情報のセンシングを行い、前記利用要求信号の受信時刻に関連付けられるセンサデータを生成して利用者確認応答信号の受信を待ち、
前記移動端末は、更に、前記利用確認信号の受信時刻から前記利用者確認応答信の送信時刻までの時間が一定時間Tmとなるように、前記利用者確認応答信号の送信時刻を制御し、
前記固定センサ装置は、更に、前記利用者確認応答信号を受信したときに当該利用者確認応答信号に含まれるユーザ識別情報および装置識別情報を読み取り、自装置が送信した利用者確認信号に含まれるユーザ識別情報および装置識別情報との照合を行い、一致したときに、前記利用者確認信号の送信時刻から前記利用者確認応答信の受信時刻までの時間Tpを求め、Tp≦Tpmax（但し、Tpmaxは固定値）の場含に、前記利用要求信号の受信時刻に関連付けられるセンサデータと、前記利用要求信号に含まれるユーザ識別情報とを含むセンサ信号を生成することを特徴とする請求項３に記載の情報収集・提供システム。
【請求項５】
前記移動端末は、
送信部と、受信部と、前記各信号送信期間以外は前記送信部の電力を低減するパワーダウン制御を行い、前記信号受信待ち期間以外は、受信部の電力を低減するパワーダウンを行う制御部とから成ることを特徴とする請求項１〜４のいずれか１項に記載の情報収集・提供システム。
【請求項６】
前記固定センサ装置は、
前記同じ移動端末からの利用要求信号を連続して一定回数受信した場合にのみ前記センサデータを生成することを特徴とする請求項１〜４のいずれか１項に記載の情報収集・提供システム。
【請求項７】
前記固定センサ装置は、
前記センサデータを生成後、一定時間Tqの間（但し、Tq>Ts）、同じユーザ識別情報を含む利用要求信号を受信したときに、利用者確認信号の送信、およびセンサデータの生成を禁止することを特徴とする請求項１〜４のいずれか１項に記載の情報収集・提供システム。
【請求項８】
前記移動端末は、
前記利用者確認応答信号を送信後、一定時間Tq（但し、Tq>Te）の間、前記利用要求信号の送出、および、利用者確認信号の受信待ちを停止することを特徴とする請求項４に記載の情報収集・提供システム。
【請求項９】
前記移動端末は、
前記利用者確認応答信号を送信後、一定時間Tq（但し、Tq>Ts）の間、前記利用要求信号の送出間隔Tsを大きくすることを特徴とする請求項４に記載の情報収集・提供システム。
【請求項１０】
前記移動端末は、
前記利用者確認信号受信時に、前記利用者確認信号に含まれる装置識別情報を確認して、同一の前記固定センサ装置からの利用者確認信号を連続して受信したとき、前記利用要求信号の送出間隔Tsを大きくすることを特徴とする請求項４に記載の情報収集・提供システム。
【請求項１１】
移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムの動作方法であって、
前記移動端末により前記固定センサ装置を無線により起動する第１のステップと、
前記固定センサ装置により収集された前記環境情報を前記ネットワーク経由で前記センタ装置へ送信する第２のステップと、
前記センタ装置で前記環境情報を蓄積し、前記ネットワークに接続された情報読出し装置からの要求に基づき前記蓄積した環境情報を提供する第３のステップと、
を有することを特徴とする情報収集・提供システムの動作方法。
【請求項１２】
前記第２のステップは、
前記移動端末が、所有するユーザに固有の識別情報を含む利用要求信号を所定の間隔（Ts）で同報送信するサブステップと、
前記固定センサ装置が、前記利用要求信号を受信して電波強度が基準値以上であることを確認し、前記識別情報を読み取ってサービス利用可能なユーザであることを確認した後、前記環境情報のセンシングを行い、前記利用要求信号の受信時刻に関連付けられたセンサデータを生成して、当該センサデータと、前記利用要求信号に含まれるユーザ識別情報から成るセンサ信号を生成するサブステップと、前記ネットワークを介して前記生成されたセンサ信号を前記センタ装置へ送信するサブステップと、
を有することを特徴とする請求項１１に記載の情報収集・提供システムの動作方法。
【請求項１３】
前記第３のステップは、
前記センタ装置が、前記送信を受けたセンサ信号からセンサデータとユーザ識別情報とを読出して、当該センサデータと前記ユーザ識別情報の組を記憶手段に蓄積し、前記ネットワークに接続された情報読出し端末から当該情報読出し端末の所有ユーザに固有のユーザ識別情報を含むセンサ情報提供要求を受信したときに、前記移動端末を所有するユーザのユーザ識別情報との照合を行い、一致もしくは対応する場合に、前記ユーザに属するセンサ情報を読出して、前記ネットワークを介してセンサ情報提供要求のあった前記情報読出し端末に送信するサブステップとを有することを特徴とする請求項１１に記載の情報収集・提供システムの動作方法。
【請求項１４】
移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムにおける前記移動端末であって、
所有するユーザに固有の識別情報を含む利用要求信号を生成する利用要求信号生成部と、
前記固定センサ装置へ前記利用要求信号生成部により生成された利用要求信号を所定の間隔で送信し、前記利用要求信号発信後、所定の時間だけ前記固定センサ装置からの利用者確認信号の受信を待ち、ある時間内に利用者確認信号を受信したときに、前記受信待ちを中断して、利用者確認信号に含まれる装置識別情報を読み取り、前記移動端末を所有するユーザに固有のユーザ識別情報と、前記利用者確認信号に含まれる装置識別情報を含む利用者確認応答信号を送信する無線通信部と、
前記利用要求信号生成部と無線通信部を制御すると共に、前記利用要求信号送信期間以外は前記無線通信部の電力を低減するパワーダウン制御を行い、前記信号受信待ち期間以外は、前記無線通信部の電力を低減するパワーダウンを行う制御部と、
を具備することを特徴とする移動端末。
【請求項１５】
移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムにおける前記固定センサ装置であって、
前記移動端末により生成される利用要求信号を受信して電波強度が基準値以上であることを確認し、前記利用要求信号に含まれる識別情報を読み取ってサービス利用可能なユーザであることを確認する制御部と、
内蔵するセンサにより環境情報のセンシングを行い、前記利用要求信号の受信時刻に関連付けられたセンサデータを生成して、当該センサデータと、前記利用要求信号に含まれるユーザ識別情報から成るセンサ信号を生成するセンサ信号生成部と、
前記制御部による制御ので、前記センサ信号生成部により生成されたセンサ信号を、前記ネットワークを介して接続された前記センタ装置へ送信する通信部と、
を具備することを特徴とする固定センサ装置。
【請求項１６】
移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムにおける前記センタ装置であって、
前記固定センサ装置によって送信されるセンサ信号からセンサデータとユーザ識別情報とを読出し、当該センサデータと前記ユーザ識別情報の組を蓄積するサーバ部と、
前記ネットワークに接続された情報読出し端末から当該情報読出し端末の所有ユーザに固有のユーザ識別情報を含むセンサ情報提供要求を受信したときに、前記移動端末を所有するユーザのユーザ識別情報との照合を行い、一致もしくは対応する場合に、前記ユーザに属するセンサ情報を読み出す制御部と、
前記固定センサ装置によって送信されるセンサ信号、ならびに前記ネットワークに更に接続される情報読出し装置から発せられるセンサ情報提供要求を受信すると共に、前記制御部による制御の下、前記サーバ部から読み出されたセンサ情報を、前記ネットワークを介してセンサ情報提供要求のあった前記情報読出し端末に送信する通信部と、
を具備することを特徴とするセンタ装置。
【請求項１７】
移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムにおいて、前記センタ装置に前記ネットワークを介して更に接続される情報読出し端末であって、
ユーザ操作により起動され、センサ情報提供要求信号を生成する情報要求信号生成部と、
前記センサ情報提供要求信号を前記ネットワーク経由で接続されるセンタ装置に送信すると共に、前記センサ情報提供要求に含まれるユーザ情報に基づき前記移動端末を所有するユーザのユーザ識別情報との照合が行なわれ、一致もしくは対応する場合に、前記センタ装置から送信される前記ユーザに属するセンサ情報を受信する通信部と、
前記ユーザ操作を検出して前記情報要求信号生成部によるセンサ情報提供要求信号の生成を起動すると共に、前記センタ装置から前記通信部を介して受信したセンサ情報を表示のために表示部へ供給する制御部と、
を具備することを特徴とする情報読出し端末。
【発明の詳細な説明】
【技術分野】
【０００１】
本発明は、移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る、情報収集・提供システムおよびその動作方法、移動端末、固定センサ装置、センタ装置、情報読出し端末に関する。
【背景技術】
【０００２】
環境情報を収集するにあたり、現地に精通していなくても容易かつ効率良く環境情報収集を行うことが出来、迅速にその調査結果を回答する環境情報収集システムが知られている（例えば、特許文献１参照）。
【０００３】
上記した特許文献１に開示された技術によれば、環境情報を収集する携帯型の環境情報収集端末と、この端末から環境情報を集めて蓄積する環境情報ＤＢと、蓄積した情報を公開する環境情報公開装置によってシステムが構築されている。また、端末は、位置情報取得装置を有し、環境情報センサから入力される環境情報に位置情報を付加して情報を収集し、無線による通信手段によりネットワーク経由でＤＢに送信する。ＤＢは、位置情報とリンクした環境情報を一元的に蓄積して環境調査の効率を高めている。環境情報公開装置は、利用者の要求に応じてＤＢの環境情報の検索を行い、閲覧を許可している。
【特許文献１】特開２００３−１８７０３０号公報
【発明の開示】
【発明が解決しようとする課題】
【０００４】
上記した特許文献１に開示した技術によれば、地域の実情に明るくない人でも容易に環境情報の収集作業が可能となり、かつ、一元的に情報を蓄積することで統合的なシステムを間便、かつ経済的に提供できる。
しかしながら、環境情報を収集する携帯型の環境情報収集端末（移動端末）は電池を駆動電源とするため、多くの電力消費を伴うセンサデータ収集作業を環境情報収集端末が行うと電池の交換頻度が高くなり、そのために保守が煩わしいという問題があった。
【０００５】
本発明は上記事情に鑑みてなされたものであり、移動端末の電池の延命化をはかると共に、一層の性能向上をはかった、情報収集・提供システムおよびその動作方法、移動端末、固定センサ装置、センタ装置、情報読出し端末を提供することを目的とする。
【課題を解決するための手段】
【０００６】
上記した課題を解決するために本発明は、移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムであって、前記移動端末により前記固定センサ装置を無線により起動し、前記固定センサ装置により収集された前記環境情報を前記ネットワーク経由で前記センタ装置へ送信し、前記センタ装置で前記環境情報を蓄積し、前記ネットワークに接続された情報読出し装置からの要求に基づき前記蓄積した環境情報を提供する情報収集・提供手段、を具備したことを特徴とする。
【０００７】
また、本発明において、前記移動端末は、所有するユーザに固有の識別情報を含む利用要求信号を所定の間隔（Ts）で同報送信し、前記固定センサ装置は、前記利用要求信号を受信して電波強度が基準値以上であることを確認し、前記識別情報を読み取ってサービス利用可能なユーザであることを確認した後、前記環境情報のセンシングを行い、前記利用要求信号の受信時刻に関連付けられたセンサデータを生成して、当該センサデータと、前記利用要求信号に含まれるユーザ識別情報から成るセンサ信号を生成することを特徴とする。
【０００８】
また、本発明において、前記固定センサ装置は、前記ネットワークを介して前記生成されたセンサ信号を前記センタ装置へ送信し、前記センタ装置は、前記送信を受けたセンサ信号からセンサデータとユーザ識別情報とを読出して、当該センサデータと前記ユーザ識別情報の組を記憶手段に蓄積し、前記ネットワークに接続された情報読出し端末から当該情報読出し端末の所有ユーザに固有のユーザ識別情報を含むセンサ情報提供要求を受信したときに、前記移動端末を所有するユーザのユーザ識別情報との照合を行い、一致もしくは対応する場合に、前記ユーザに属するセンサ情報を読出して、前記ネットワークを介してセンサ情報提供要求のあった前記情報読出し端末に送信することを特徴とする。
【０００９】
また、本発明において、前記移動端末は、前記利用要求信号発信後、時間Trの間（但し、Tr<Ts）、前記固定センサ装置からの利用者確認信号の受信を待ち、前記時間Tr内に利用者確認信号を受信したときに、前記受信待ちを中断して、利用者確認信号に含まれる装置識別情報を読み取り、前記移動端末を所有するユーザに固有のユーザ識別情報と、前記利用者確認信号に含まれる装置識別情報を含む利用者確認応答信号を送信し、前記固定センサ装置は、前記利用要求信号を受信したときに、電波強度が基準値以上であることを確認し、前記利用要求信号に含まれるユーザ識別情報を読み取り、サービス利用可能なユーザであることを確認し、前記固定センサ装置に固有の装置識別情報と、前記利用要求信号に含まれるユーザ識別情報を含む前記利用者確認信号を送信した後、環境情報のセンシングを行い、前記利用要求信号の受信時刻に関連付けられるセンサデータを生成して利用者確認応答信号の受信を待ち、前記移動端末は、更に、前記利用確認信号の受信時刻から前記利用者確認応答信の送信時刻までの時間が一定時間Tmとなるように、前記利用者確認応答信号の送信時刻を制御し、前記固定センサ装置は、更に、前記利用者確認応答信号を受信したときに当該利用者確認応答信号に含まれるユーザ識別情報および装置識別情報を読み取り、自装置が送信した利用者確認信号に含まれるユーザ識別情報および装置識別情報との照合を行い、一致したときに、前記利用者確認信号の送信時刻から前記利用者確認応答信の受信時刻までの時間Tpを求め、Tp≦Tpmax（但し、Tpmaxは固定値）の場含に、前記利用要求信号の受信時刻に関連付けられるセンサデータと、前記利用要求信号に含まれるユーザ識別情報とを含むセンサ信号を生成することを特徴とする。
【００１０】
また、本発明において、前記移動端末は、送信部と、受信部と、前記各信号送信期間以外は前記送信部の電力を低減するパワーダウン制御を行い、前記信号受信待ち期間以外は、受信部の電力を低減するパワーダウンを行う制御部とから成ることを特徴とする。
【００１１】
また、本発明において、前記固定センサ装置は、前記同じ移動端末からの利用要求信号を連続して一定回数受信した場合にのみ前記センサデータを生成することを特徴とする。
【００１２】
また、本発明において、前記固定センサ装置は、前記センサデータを生成後、一定時間Tqの間（但し、Tq>Ts）、同じユーザ識別情報を含む利用要求信号を受信したときに、利用者確認信号の送信、およびセンサデータの生成を禁止することを特徴とする。
【００１３】
また、本発明において、前記移動端末は、前記利用者確認応答信号を送信後、一定時間Tq（但し、Tq>Te）の間、前記利用要求信号の送出、および、利用者確認信号の受信待ちを停止することを特徴とする。
【００１４】
また、本発明において、前記移動端末は、前記利用者確認応答信号を送信後、一定時間Tq（但し、Tq>Ts）の間、前記利用要求信号の送出間隔Tsを大きくすることを特徴とする。
【００１５】
また、本発明において、前記移動端末は、前記利用者確認信号受信時に、前記利用者確認信号に含まれる装置識別情報を確認して、同一の前記固定センサ装置からの利用者確認信号を連続して受信したとき、前記利用要求信号の送出間隔Tsを大きくすることを特徴とする。
【００１６】
また、本発明は、移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムの動作方法であって、前記移動端末により前記固定センサ装置を無線により起動する第１のステップと、前記固定センサ装置により収集された前記環境情報を前記ネットワーク経由で前記センタ装置へ送信する第２のステップと、前記センタ装置で前記環境情報を蓄積し、前記ネットワークに接続された情報読出し装置からの要求に基づき前記蓄積した環境情報を提供する第３のステップと、を有することを特徴とする。
【００１７】
また、本発明において、前記第２のステップは、前記移動端末が、所有するユーザに固有の識別情報を含む利用要求信号を所定の間隔（Ts）で同報送信するサブステップと、前記固定センサ装置が、前記利用要求信号を受信して電波強度が基準値以上であることを確認し、前記識別情報を読み取ってサービス利用可能なユーザであることを確認した後、前記環境情報のセンシングを行い、前記利用要求信号の受信時刻に関連付けられたセンサデータを生成して、当該センサデータと、前記利用要求信号に含まれるユーザ識別情報から成るセンサ信号を生成するサブステップと、前記ネットワークを介して前記生成されたセンサ信号を前記センタ装置へ送信するサブステップと、を有することを特徴とする。
【００１８】
また、本発明において、前記第３のステップは、前記センタ装置が、前記送信を受けたセンサ信号からセンサデータとユーザ識別情報とを読出して、当該センサデータと前記ユーザ識別情報の組を記憶手段に蓄積し、前記ネットワークに接続された情報読出し端末から当該情報読出し端末の所有ユーザに固有のユーザ識別情報を含むセンサ情報提供要求を受信したときに、前記移動端末を所有するユーザのユーザ識別情報との照合を行い、一致もしくは対応する場合に、前記ユーザに属するセンサ情報を読出して、前記ネットワークを介してセンサ情報提供要求のあった前記情報読出し端末に送信するサブステップとを有することを特徴とする。
【００１９】
また、本発明は、移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムにおける前記移動端末であって、所有するユーザに固有の識別情報を含む利用要求信号を生成する利用要求信号生成部と、前記固定センサ装置へ前記利用要求信号生成部により生成された利用要求信号を所定の間隔で送信し、前記利用要求信号発信後、所定の時間だけ前記固定センサ装置からの利用者確認信号の受信を待ち、ある時間内に利用者確認信号を受信したときに、前記受信待ちを中断して、利用者確認信号に含まれる装置識別情報を読み取り、前記移動端末を所有するユーザに固有のユーザ識別情報と、前記利用者確認信号に含まれる装置識別情報を含む利用者確認応答信号を送信する無線通信部と、前記利用要求信号生成部と無線通信部を制御すると共に、前記利用要求信号送信期間以外は前記無線通信部の電力を低減するパワーダウン制御を行い、前記信号受信待ち期間以外は、前記無線通信部の電力を低減するパワーダウンを行う制御部と、を具備することを特徴とする。
【００２０】
また、本発明は、移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムにおける前記固定センサ装置であって、前記移動端末により生成される利用要求信号を受信して電波強度が基準値以上であることを確認し、前記利用要求信号に含まれる識別情報を読み取ってサービス利用可能なユーザであることを確認する制御部と、内蔵するセンサにより環境情報のセンシングを行い、前記利用要求信号の受信時刻に関連付けられたセンサデータを生成して、当該センサデータと、前記利用要求信号に含まれるユーザ識別情報から成るセンサ信号を生成するセンサ信号生成部と、前記制御部による制御ので、前記センサ信号生成部により生成されたセンサ信号を、前記ネットワークを介して接続された前記センタ装置へ送信する通信部と、を具備することを特徴とする。
【００２１】
また、本発明において、移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムにおける前記センタ装置であって、前記固定センサ装置によって送信されるセンサ信号からセンサデータとユーザ識別情報とを読出し、当該センサデータと前記ユーザ識別情報の組を蓄積するサーバ部と、前記ネットワークに接続された情報読出し端末から当該情報読出し端末の所有ユーザに固有のユーザ識別情報を含むセンサ情報提供要求を受信したときに、前記移動端末を所有するユーザのユーザ識別情報との照合を行い、一致もしくは対応する場合に、前記ユーザに属するセンサ情報を読み出す制御部と、前記固定センサ装置によって送信されるセンサ信号、ならびに前記ネットワークに更に接続される情報読出し装置から発せられるセンサ情報提供要求を受信すると共に、前記制御部による制御の下、前記サーバ部から読み出されたセンサ情報を、前記ネットワークを介してセンサ情報提供要求のあった前記情報読出し端末に送信する通信部と、を具備することを特徴とする。
【００２２】
また、本発明において、移動自在で無線通信を行う１以上の移動端末と、所定の位置に固定され環境情報のセンシングを行って前記移動端末もしくはネットワークを介して接続されるセンタ装置に対して送信する１以上の固定センサ装置とから成る情報収集・提供システムにおいて、前記センタ装置に前記ネットワークを介して更に接続される情報読出し端末であって、ユーザ操作により起動され、センサ情報提供要求信号を生成する情報要求信号生成部と、前記センサ情報提供要求信号を前記ネットワーク経由で接続されるセンタ装置に送信すると共に、前記センサ情報提供要求に含まれるユーザ情報に基づき前記移動端末を所有するユーザのユーザ識別情報との照合が行なわれ、一致もしくは対応する場合に、前記センタ装置から送信される前記ユーザに属するセンサ情報を受信する通信部と、前記ユーザ操作を検出して前記情報要求信号生成部によるセンサ情報提供要求信号の生成を起動すると共に、前記センタ装置から前記通信部を介して受信したセンサ情報を表示のために表示部へ供給する制御部と、を具備することを特徴とする。
【発明の効果】
【００２３】
本発明によれば、情報収集・提供手段が、移動端末により無線で起動された固定センサ装置により収集された環境情報をネットワーク経由でセンタ装置へ送信し、当該センタ装置で環境情報を蓄積し、更にネットワークに接続された情報読出し装置からの要求に基づき蓄積された環境情報を提供する構成とすることで、移動端末は、比較的消費電力の大きな固定センサ装置をセンサする機能が不要になるため、電池寿命の延命化がはかれ、かつ、低コストで実現できる。
また、移動端末が固定センサ装置を起動する間隔を変動値に設定することで、複数の移動端末から送信される利用要求信号の衝突を回避することが可能となる。更に、移動端末が、固定センサ装置に一定距離以内に近づいた場合にのみセンサ信号が生成されてセンタ装置に送信され、移動端末の近くに位置する国定センサ装置のみからのセンサデータを収集できるため、センサデータの位置精度を向上させることが可能となる。また、センサデータは生成時刻情報を含むため、国定センサ装置は、利用要求信号を受信してから即座にセンサ信号を送信する必要がなく、センサデータを纏めて送信することが可能となる。更に、センサデータ生成時刻を高い精度で得ることができる。
【００２４】
また、移動端末は、信号送信期間以外は送信部の電力を低減するパワーダウン制御を行い、信号受信待ち期間以外は、受信部の電力を低減するパワーダウンを行うパワーマネジメント機能を持つことから、消費電力を削減でき、電池の延命化がはかれる。
また、固定センサ装置が、同じ移動端末からの利用要求信号を連続して一定回数受信した場合にのみセンサデータを生成することで、移動端末がセンサ圏内に留まっているか否かを確認することができる。更に、固定センサ装置が、センサデータを生成後、一定時間の間、同じユーザ識別情報を含む利用要求信号を受信したときに、利用者確認信号の送信、およびセンサデータの生成を禁止することで、簡単なアルゴリズムで利用者の固定センサ装置付近での滞在期間を把握できる。すなわち、固定センサ装置が利用要求信号を受信した期間が利用者の固定センサ装置付近での滞在期間となる。
【００２５】
また、移動端末が、利用者確認応答信号を送信後、一定時間の間、利用要求信号の送出、および、利用者確認信号の受信待ちを停止することで、あるいは、移動端末が、利用者確認応答信号を送信後、一定時間の間、利用要求信号の送出間隔Tsを大きくすることで、移動端末の消費電力を削減でき、かつ、他の移動端末との競合を抑制できる。
また、移動端末が、利用者確認信号受信時に、利用者確認信号に含まれる装置識別情報を確認して、同一の前記固定センサ装置からの利用者確認信号を連続して受信したとき、利用要求信号の送出間隔を大きくすることで、センサデータが固定センサ装置の装置識別情報を含むため、センタ装置が装置識別情報から固定センサ装置の設置場所を知ることが可能となり、ユーザの位置と関連付けた処理が可能である。
【発明を実施するための最良の形態】
【００２６】
図１は、本発明の情報収集・提供システムの一実施形態を示す図である。本発明の情報収集・提供システムは、移動自在で無線通信を行う１以上の移動端末１と、所定の位置に固定され環境情報のセンシングを行って移動端末１もしくはネットワーク５を介して接続されるセンタ装置６、情報読出し端末７に対して送信する１以上の固定センサ装置２１、２２で構成される。
図１において、移動端末１がセンサ圏３１に位置する場合、固定センサ装置２１は、移動端末１からの利用要求信号を受信し、センサ信号を生成する。移動端末１がセンサ圏３２外にある場合、固定センサ装置２２は、移動端末１からの利用要求信号を受信しても、センサ信号を生成しない。なお、センサ圏とは、固定センサ装置２１、２２を中心とする予め定められた範囲を指す。
【００２７】
移動端末１がセンサ圏３１、３２内に位置するか否かの判定は、移動端末１が送出した無線信号を固定センサ装置２１、２２が受信した時の電波強度により行われる。受信電波強度が予め定められた基準値以上であれば、移動端末１はセンサ圏３１、３２内に位置すると判定される。センサ圏の境界は、移動端末１がセンサ圏内に位置する時に、固定センサ装置２１、２２が測定したセンサデータを、移動端末１の位置でのデータとみなすことができる範囲で定められる。センサ圏が小さい場合、あるいは、測定対象が、位置による誤差が少ないものである場合は、移動端末１がセンサ圏内にある時、固定センサ装置２１、２２が測定したセンサデータを、移動端末１の位置でのデータとみなすことができる。
【００２８】
図２は、図１に示す固定センサ装置の内部構成の一例を示す図である。固定センサ装置２１は、制御部２１７を核とし、無線通信部２１１と、センサ２１２と、時刻情報生成部２１３と、バッファ２１４と、センサ信号生成部２１５と、利用可能ユーザリスト２１６と、通信部２１８で構成される。
制御部２１７は、無線通信部２１１を介して移動端末１により生成される利用要求信号を受信し、電波強度が基準値以上であることを確認して、当該利用要求信号に含まれる識別情報を読み取ってサービス利用可能なユーザであることを確認する機能を持つ。また、センサ信号生成部２１５は、内蔵するセンサ２１２により環境情報のセンシングを行い、利用要求信号の受信時刻に関連付けられたセンサデータを生成して、当該センサデータと、利用要求信号に含まれるユーザ識別情報から成るセンサ信号を生成する機能を持つ。更に、通信部２１８は、制御部２１７による制御ので、センサ信号生成部２１５により生成されたセンサ信号を、ネットワーク５を介して接続されたセンタ装置６へ送信する機能を持つ。
【００２９】
図３は、図１に示す移動端末の内部構成の一例を示す図である。移動端末１は、制御部１３を核に、利用要求信号生成部１１と、無線通信部１２で構成される。
図３において、利用要求信号生成部１１は、制御部１３による制御の下で所有するユーザに固有の識別情報を含む利用要求信号を生成する機能を持つ。また、無線通信部１２は、固定センサ装置２１、２２へ利用要求信号生成部により生成された利用要求信号を所定の間隔で送信し、当該利用要求信号発信後、所定の時間だけ前記固定センサ装置２１、２２からの利用者確認信号の受信を待ち、ある時間内に利用者確認信号を受信したときに、受信待ちを中断して、利用者確認信号に含まれる装置識別情報を読み取り、移動端末１を所有するユーザに固有のユーザ識別情報と、利用者確認信号に含まれる装置識別情報を含む利用者確認応答信号を送信する機能を持つ。
なお、制御部１３は、利用要求信号生成部１１と無線通信部１２を制御すると共に、利用要求信号送信期間以外は無線通信部１２の電力を低減するパワーダウン制御を行い、信号受信待ち期間以外は、無線通信部１２の電力を低減するパワーダウン制御を行う。
【００３０】
図４は、図１に示すセンタ装置の内部構成の一例を示す図である。センタ装置６は、制御部６３を核に、サーバ部６１と通信部６２で構成される。
サーバ部６１は、固定センサ装置２１、２２によって送信されるセンサ信号からセンサデータとユーザ識別情報とを読出し、当該センサデータとユーザ識別情報の組を図示せぬデータベース（ＤＢ）に蓄積する機能を持つ。また、制御部６３は、ネットワーク５に接続された情報読出し端末７から情報読出し端末７の所有ユーザに固有のユーザ識別情報を含むセンサ情報提供要求を受信したときに、移動端末１を所有するユーザのユーザ識別情報との照合を行い、一致もしくは対応する場合に、そのユーザに属するセンサ情報を読み出す機能を持つ。
なお、通信部６２は、固定センサ装置２１、２２によって送信されるセンサ信号、ならびにネットワーク５に接続される情報読出し装置７から発せられるセンサ情報提供要求を受信すると共に、制御部６３による制御の下、サーバ部６１から読み出されたセンサ情報を、ネットワーク５を介してセンサ情報提供要求のあった情報読出し端末７に送信する機能を持つ。
【００３１】
図５は、図１に示す情報読出し端末の内部構成の一例を示す図である。情報読出し端末７は、制御部７５を核に、情報要求信号生成部７１、ユーザ操作部７２、センサ情報表示部７３、通信部７４で構成される。
情報要求信号生成部７１は、ユーザ操作部７２によるユーザ操作により起動され、センサ情報提供要求信号を生成する機能を持つ。また、通信部７４は、センサ情報提供要求信号をネットワーク５経由で接続されるセンタ装置６に送信すると共に、センサ情報提供要求に含まれるユーザ情報に基づき移動端末１を所有するユーザのユーザ識別情報との照合が行なわれ、一致もしくは対応する場合に、センタ装置６から送信されるそのユーザに属するセンサ情報を受信して制御部７５へ引き渡す。
なお、制御部７５は、ユーザ操作部７２によるユーザ操作を検出して情報要求信号生成部７１によるセンサ情報提供要求信号の生成を起動すると共に、センタ装置６から通信部７４を介して受信したセンサ情報を表示のためにセンサ情報表示部７３へ供給する。
【００３２】
図８〜図１１に、上記した本発明一実施形態の動作がフローチャートで示されており、移動端末１（図８）、固定センサ装置２１（図９）、センタ装置６（図１０）、情報読出し端末７（図１１）のそれぞれの動作が示されている。
【００３３】
図８において、移動端末１は、まず、利用要求信号生成部１１により、自身のユーザ識別情報（uID_i）を含む利用要求信号を生成する（Ｓ８１）。この利用要求信号は、所定の間隔Tsをもって送信され（Ｓ８２）、制御部１３は、タイマによる計時を開始すると共に（Ｓ８３）、無線送信制御部１２のパワーアップ制御が行われる。通常はパワーダウン制御がなされており、このパワーマネジメント制御ついては後述する。そして、無線通信部１２を介し、利用要求信号生成部１１で生成された利用要求信号を無線送信する。以上の処理は、Tsがタイムアウトする毎に繰り返される（Ｓ８７）。なお、Tsは、利用要求信号送信間隔を計時するタイマであり、固定値または変動値（Ts≦Tsmax）である。
なお、利用要求信号送信間隔Tsが極端に長い場合、移動端末１がセンサ圏内に留まっているのか、センサ圏外に一旦出て再度センサ圏内に入ったのか否かを固定センサ装置２１（２２）が判断することができない。利用要求信号送信間隔Tsが極端に短いと、利用要求信号送信頻度が高くなるため、移動端末１の無線信号送信部（無線通信部１２）の消費電力が大きくなる。これらの問題を解決するために、Tsに上限（Tsmax）・下限（Tsmin）を設けてもよい。
【００３４】
図９において、固定センサ装置２１（２２）は、まず、移動端末１から無線による利用要求信号の受信を検知する（Ｓ９１）。具体的には、無線通信部２１１を介して受信した電波の電波強度が基準値以上であることが制御部２１７によって確認される時（Ｓ９２）、その利用要求信号からユーザ識別情報uID1の読出しが行われる（Ｓ９３）。そして、制御部２１７は、サービス利用が可能なユーザであることを確認して（Ｓ９４）、センサ信号生成部２１５でセンサデータ[uID1]を生成し（Ｓ９５）、センサ信号[uID1]を生成して（Ｓ９６）、通信部２１８を介してネットワーク５経由センタ装置６へ送信する（Ｓ９７）。なお、このとき、複数一括送信も可能である。
ここで、uID1は、固定センサ装置２１（２２）が受信する利用要求信号に含まれる移動端末のユーザ識別情報であり、また、センサデータ[uID1]は、uID1を含む利用要求信号を受信した時に固定センサ装置２１（２２）が生成するセンサデータである。また、センサ信号[uID1]は、uID1とセンサデータ[uID1]を含む信号とし、固定センサ装置２１（２２）からセンタ装置６ヘネットワーク５を介して送られる。複数回分のセンサデータ[uID1]を纏めて送ってもよい。
【００３５】
図１０において、センタ装置６は、制御部６３において通信部６２を介して常時、信号の受信管理を行っており（Ｓ１０１）、情報読出し装置７から情報要求信号を受信した場合（Ｓ１０２）、uID（センタ装置６が受信する、情報要求信号またはセンサ信号に含まれる、移動端末のユーザ識別情報）、rID（センタ装置６が受信する情報要求信号またはセンサ信号に含まれる情報読出し端末７の端末識別情報）を読み出す（Ｓ１０３）。そして、センサデータ［uID］がサーバ部６１に蓄積されているか否かのチェックを行い（Ｓ１０４）、蓄積されている場合に限り、読み出されたセンサデータもしくはセンサ情報を通信部６２を介して要求のあった情報読出し端末７へ送信する（Ｓ１０５）。
一方、センサ信号を受信した場合は（Ｓ１０６）、センサデータ［uID］、ユーザIDその他情報を読出し（Ｓ１０７）、当該読み出されたセンサデータ［uID］もしくはセンサ情報［uID］をサーバ部６１に蓄積する。
【００３６】
なお、ここで、センサデータ[uID]は、uID1を含む利用要求信号を受信した時に、固定センサ装置２１（２２）が生成するセンサデータであり、センサ情報[uID]は、センサデータ[uID]、またはセンサデータ[uID]を処理して得られたセンサデータ処理データを含むため意図して区別してある。また、センサ信号とは、上記したように、uIDとセンサデータ[uID]を含む信号であり、固定センサ装置２１（２２）からセンタ装置６ヘネットワーク５を介して送信される。また、情報要求信号は、uIDとrIDを含む信号であり、情報読出し端末７からセンタ装置６ヘネットワーク５を介して送信される。
【００３７】
図１１において、情報読出し端末７は、まず、ユーザによる情報要求操作の有無を検知する（Ｓ１１１）。具体的に、ユーザは、ユーザ操作部７２に用意されたＧＵＩ（Graphical User Interface）を操作することにより情報要求の意思表示を行う。
これを検出した情報読出し端末７は、制御部７５による制御の下、情情報要求信号生成部７１でuIDとrIDを含む情報要求信号を生成し（Ｓ１１２）、生成された情報要求信号を通信部７４経由でネットワーク５を介してセンタ装置６へ送信する（Ｓ１１３）。このことにより、センタ装置６からセンサデータまたはセンサ情報の受信待ちの状態となる（Ｓ１１４）。そして、センタ装置６からの送信を待って、得られるセンサデータもしくはセンサ情報をセンサ情報表示部７３に表示する（Ｓ１１５）。
【００３８】
上記した本発明実施形態によれば、移動端末１は、利用要求信号送信機能のみ持てば良く、従来例のようにセンサ機能は必要ないため、省電力化がはかれ電池寿命の延命化が墓ケルトともに低コストで実現できる。また、固定センサ装置２１（２２）を起動する時間Tsを変動値に設定することで、複数の移動端末１から送信される利用要求信号の衝突を回避することができる。
【００３９】
図６は、本発明における情報収集・提供システムの他の実施形態を示す図である。ここでは、固定センサ装置２１（２２）から移動端末１までの距離の判定は、固定センサ装置２１（２２）が利用者確認信号を送出してから利用者確認応答信号を受信するまでの時間Tpによりにより行われる。時間Tpが予め定められた基準値Tpmax以下であれば、移動端末１はセンサ圏内にあると判定される。このため、移動端末１の位置で測定したセンサデータとほぼ等しいデータが得られ、固定センサ装置を中心とする半径rのエリアをセンサ圈とすると、Tpmax=２xr/c+Tm（cは、無線信号の伝播速度）である。
ここでは、移動端末１は固定センサ装置２１のセンサ圏３１に入っている。
移動端末１は利用要求信号を同報送信して（ａ）、固定センサ装置２１と固定センサ装置２２は利用者確認信号を移動端末１に送信し（ｂ）、移動端末１は固定センサ装置２１からの利用者確認信号を先に受信して、利用者確認応答信号を固定センサ装置２１へ送信する（ｃ）。移動端末１は、固定センサ装置２１からの利用者確認信号を受信後に受信待ちを中断するため、固定センサ装置２２からの利用者確認信号を受信しない。
【００４０】
ここで、信号送信時刻、受信時刻の定義をすれば以下のようになる。すなわち、利用者確認信号のパターンによって規定される、予め定められた信号個所の受信タイミングを利用者確認信号の受信時刻とする。利用者確認応答信号のパターンによって規定される、予め定められた信号個所の送信タイミングを利用者確認応答信号の送信時刻とする。
利用者確認信号のパターンによって規定される、予め定められた信号個所の送信タイミングを利用者確認信号の送信時刻とする。利用者確認応答信号のパターンによって規定される、予め定められた信号個所の受信タイミングを利用者確認応答信号の受信時刻とする。また、Tsの下限を設定して、Ts>Trとする。
【００４１】
図７は、図６に示す実施形態における信号送信およびセンサデータ生成タイミングを示す図である。図７において、移動端末１が１回目および２回目の利用要求信号を送信した時、移動端末１は、固定センサ装置２１、固定センサ装置２２の電波受信範囲外にいる。また、３回目および４回目の利用要求信号を送信した時、移動端末１は、固定センサ装置２２の電波受信範囲内に入るが、センサ圈３２には入っていない。
移動端末１は、利用者確認信号を受信したら、信号受信待ちを中断する。固定センサ装置２２は、自装置の装置ＩＤを含む利用者確認応答信号を受信するが、Tp>Tpmaxであるため、センサデータを生成しない。
【００４２】
５回目の利用要求信号を送信した時、移動端末１は、固定センサ装置２１の電波受信範囲内に入るが、センサ圏３１には入っていない。移動端末１は、固定センサ装置２１の利用者確認信号を受信したら、信号受信待ちを中断するため、固定センサ装置２２の利用者確認信号を受信しない。従って、１つの移動端末１が２つの固定センサ装置２１、２２と同時に通信することはない。固定センサ装置２１は、自装置の装置ＩＤを含む利用者確認応答信号を受信するが、Tp>Tpmaxであるため、センサデータを生成しない。
６回目の利用要求信号を送信した時、移動端末１は、センサ圈３１に入っている。固定センサ装置２１は、自装置の装置ＩＤを含む利用者確認応答信号を受信し、Tp≦Tpmaxであるため、センサデータを生成し、当該センサデータと移動端末１のユーザＩＤを含むセンサ信号を生成する。
【００４３】
このため、図２に示す固定センサ装置は、無線通信部２１１が無線信号送信部と、無線信号受信部で構成され、移動端末１との間で無線信号を送受信する。また、図３に示す移動端末１の無線通信部１２も、無線信号送信部と無線信号受信部で構成され、固定センサ装置２１、２２との間で無線信号を送受信すると共に、制御部１３の制御によってそれぞれ独立してバワーマネジメント制御が行われる。
【００４４】
図１２、図１３に、上記した本発明の他の実施形態における移動端末の動作がフローチャートで示されている。
移動端末１は、まず、利用要求信号生成部１１により、自身のユーザ識別情報（uID_i）を含む利用要求信号を生成する（図１２、Ｓ１２１）。この利用要求信号は、所定の間隔Ts（利用要求信号送信間隔）をもって送信され（Ｓ１２２）、制御部１３は、このTsを計時するためにタイマをスタートさせると共に（Ｓ１２３）、無線送信制御部１２のパワーアップ制御を行う（Ｓ１２４）。そして、無線通信部１２を介し、利用要求信号生成部１１で生成された利用要求信号を無線送信する（Ｓ１２５）。無線送信後は、制御部１３による無線信号送信部（無線通信部１２）のパワーダウン制御が行われ（Ｓ１２６）、代わって無線信号受信部（無線通信部１２）のパワーアップ制御が行われる（Ｓ１２７）。同時に、利用要求信号送信から利用者確認信号受信までの最大受信待ち時間を監視するTrを計時するためのタイマをスタートさせる（Ｓ１２８）。
【００４５】
続いてTrのタイムアウトを監視し（Ｓ１２９）、このタイムアウトが検知されるまで上記した利用者確認信号の受信待ちを行い（Ｓ１３２）、利用者確認信号の中からユーザ識別情報uID2、ならびに固定センサ装置２１（２２）の装置識別情報dID2を抽出する（Ｓ１３３）。
次に、利用者確認信号に含まれるユーザ識別情報uID2が自ユーザ識別情報uID_iと一致する時に無線信号受信部（無線通信部１２）のパワーダウン制御を行い（Ｓ１３４、Ｓ１３５）、利用者確認信号受信から利用者確認応答信号送信までの時間監視を行うTmのタイマスタートを開始する（Ｓ１３６）。そして、制御部１３は、Tmのタイムアウトを検出して無線信号送信部（無線通信部１２）のパワーアップ制御を行い（Ｓ１３７、Ｓ１３８）、利用者確認応答信号を送信して無線信号送信部のパワーダウン制御を行う（Ｓ１３９、Ｓ１４０）。そして、Tsの終了を検知して（Ｓ１３１）図１２のＳ１２２以降の処理を繰り返す。
一方、Ｓ１２９の処理でTr終了が確認されたときに、制御部１３は、無線信号受信部（無線通信部１２）のパワーダウン制御を行い（Ｓ１３０）、Tsの終了を待って（Ｓ１３１）図１２の以降の処理を繰り返す。
【００４６】
なお、uID_iは、移動端末１の自ユーザ識別情報、uID2は、移動端末１が受信する、利用者確認信号に含まれる、移動端末のユーザ識別情報、dID2は、移動端末１が受信する、利用者確認信号に含まれる固定センサ装置の装置識別情報、あるいは移動端末１が送信する、利用者確認応答信号に含まれる、固定センサ装置２１（２２）の装置識別情報である。ここでは、移動端末１が受信する利用者確認信号に含まれるユーザ識別情報と装置識別情報は、uID2、dID2と表記されている。また、利用者確認応答信号は、ユーザ識別情報がuID_iの移動端末１が送信する時、uID_iとdID2を含む。
【００４７】
図１４、図１５に上記した本発明の他の実施形態における固定センサ装置の動作の流れがフローチャートで示されている。
固定センサ装置２１（２２）は、まず、移動端末１から無線による利用要求信号の受信を検知する（図１４、Ｓ１４２）。具体的には、無線通信部２１１を介して受信した電波の電波強度が基準値以上であることが制御部２１７によって確認される時（Ｓ１４３）、その利用要求信号からユーザ識別情報uID1の読出しが行われる（Ｓ１４４）。そして、制御部２１７は、サービス利用が可能なユーザであることを確認して（Ｓ１４５）、センサ２１２でセンサデータ[uID1]を生成し（Ｓ１４６）、利用者確認信号を、無線通信部２１１を介して移動端末１へ送信する（Ｓ１４７）。このとき、同時に、利用者確認信号送信から利用者確認応答信号受信までの待ち時間Tpを監視するタイマをスタートさせる（Ｓ１４８）。
【００４８】
次に、Tpが利用者確認信号送信から利用者確認応答信号受信までの最大受信待ち時間Tpmax以内にあるときのみ移動端末１から利用者確認応答信号を受信し（図１５、Ｓ１４９、Ｓ１５０）、その信号中からuID3（固定センサ装置２１（２２）が受信する、利用者確認応答信号に含まれる、移動端末１のユーザ識別情報）、dID3（固定センサ装置２１（２２）が受信する、利用者確認応答信号に含まれる、固定センサ装置２１（２２）の装置識別情報）を抽出する（Ｓ１５１）。
続いて、uID3がuID1と一致することを確認して（Ｓ１５２）、利用者確認応答信号に含まれる装置識別情報がdID3が自装置識別情報dID_iと一致する時にセンサ信号を生成し、当該センサ信号は、固定センサ装置２１（２２）からセンタ装置６ヘネットワーク５を介して送られる（Ｓ１５３〜Ｓ１５５）。このとき、複数回分のセンサデータ［uID1]を纏めて送ってもよい。
【００４９】
なお、ここで、uID1は、固定センサ装置２１（２２）が受信する、利用要求信号に含まれる移動端末１のユーザ識別情報、あるいは、固定センサ装置２１（２２）が送信する、利用者確認応答信号に含まれる、移動端末１のユーザ識別情報、あるいは、固定センサ装置２１（２２）が送信する、センサ信号[uID1]に含まれる移動端末１のユーザ識別情報である。また、Tpは、利用者確認信号送信から利用者確認応答信号受信までの実際の待ち時間であり、Tp≦Tpmax（利用者確認信号送信から利用者確認応答信号受信までの最大受信待ち時間）である。
また、dID_iは、固定センサ装置２１（２２）が送信する、利用者確認信号に含まれる固定センサ装置２１（２２）の自ユーザ識別情報、uID3は、固定センサ装置２１（２２）が受信する、利用者確認応答信号に含まれる移動端末のユーザ識別情報、dID3は、固定センサ装置２１（２２）が受信する、利用者確認応答信号に含まれる固定センサ装置２１（２２）の装置識別情報である。また、センサデータ[uID1]は、uID1を含む利用要求信号を受信した時に、固定センサ装置２１（２２）が生成するセンサデータである。また、センサ信号[uID1]は、uID1とセンサデータ[uID1]を含む信号である。
【００５０】
一方、固定センサ装置２１（２２）が受信する利用要求信号に含まれるユーザ識別情報は、uID1と表記されている。また、利用者確認信号は、装置識別情報がdID_iの固定センサ装置２１（２２）が送信する時、uID1とdID_iを含む。更に、固定センサ装置２１（２２）が受信する利用者確認応答信号に含まれるユーザ識別情報と装置識別情報は、uID3、dID3と表記されている。
【００５１】
上記した本発明実施形態によれば、移動端末１が、固定センサ装置２１（２２）に一定距離以内に近づいた場合にのみ、センサ信号が生成されてセンタ装置６に送信される。このため、移動端末１の近くに位置する固定センサ装置２１（２２）のみからセンサデータを収集できるため、センサデータの位置精度を向上させることが可能となる。
【００５２】
図１６、図１７は、本発明の更に他の実施形態における固定センサ装置の動作を示すフローチャートである。
固定センサ装置２１（２２）は、まず、カウンタ（Nr[i]）ならびにタイマ（Ts[i]）をリセットする（Ｓ１６１、Ｓ１６２）。カウンタ｛Nr[i]｝のリセットとは、Nr[i]＝０とすることを示す。続いて、移動端末１から利用要求信号を受信する（Ｓ１６３）。ここで、電界強度が基準値以上あったときに（Ｓ１６４）、その利用要求信号からユーザ識別情報uID1の読出しが行われる（Ｓ１６５）。そして、制御部２１７は、サービス利用が可能なユーザであることを確認して（Ｓ１６６）、更に、固定センサ装置２１（２２）がuID1を含む利用要求信号を受信してからuID1を含む次回の利用要求信号受信までの時間Ts［uID1］が最大値Tsmaxを越えないことを確認して（Ｓ１６７）、カウンタNr［uID1］に“１”を設定する（Ｓ１６９）。一方、Tsmaxを越えたときは、カウンタNr［uID1］を＋１更新する（Ｓ１６８）。
【００５３】
そして、固定センサ装置２１（２２）がuID1を含む利用要求信号を受信してからuID1を含む次回の利用要求信号受信までの時間を監視するタイマTs［uID1］をスタートさせる（Ｓ１７０）。そして、カウンタNr［uID1］が閾値Nr以内にあることを確認して（Ｓ１７１）、センサデータ［uID1］を生成し（図１７、Ｓ１７２）、利用者確認信号を、無線通信部２１１を介して移動端末１へ送信する（Ｓ１７３）。このとき、同時に、利用者確認信号送信から利用者確認応答信号受信までの待ち時間Tpを監視するタイマをスタートさせる（Ｓ１７４）。
【００５４】
次に、Tpが利用者確認信号送信から利用者確認応答信号受信までの最大受信待ち時間Tpmax以内にあるときのみ移動端末１から利用者確認応答信号を受信し（Ｓ１７５、Ｓ１７６）、その信号中からuID3（固定センサ装置２１（２２）が受信する、利用者確認応答信号に含まれる、移動端末１のユーザ識別情報）、dID3（固定センサ装置２１（２２）が受信する、利用者確認応答信号に含まれる、固定センサ装置２１（２２）の装置識別情報）を抽出する（Ｓ１７７）。
続いて、uID3がuID1と一致することを確認して（Ｓ１７８）、利用者確認応答信号に含まれる装置識別情報がdID3が自装置識別情報dID_iと一致する時にセンサ信号を生成し、当該センサ信号は、固定センサ装置２１（２２）からセンタ装置６ヘネットワーク５を介して送られる（Ｓ１７９〜Ｓ１８１）。このとき、複数回分のセンサデータ［uID1]を纏めて送ってもよい。
【００５５】
なお、ここで、uID1は、固定センサ装置２１（２２）が受信する、利用要求信号に含まれる移動端末１のユーザ識別情報、あるいは固定センサ装置２１（２２）が送信する、利用者確認応答信号に含まれる、移動端末１のユーザ識別情報、あるいは、固定センサ装置２１（２２）が送信する、センサ信号［uID1］に含まれる、移動端末のユーザ識別情報である。また、Nr[uID1]は、uID1を含む利用要求信号をTsmax以下の時間間隔で連続して受低した回数を数えるカウンタ値、Nrは、センサデータ[uID1]を生成するか否かの基準となるNr［uDI1]の閾値であって、Nr[uID1]≧Nrの時、センサデータ[uID1]を生成する。
また、Ts［uID1］は、ある固定センサ装置２１（２２）がuID1を含む利用要求信号を受信してからuID1を含む次回の利用要求信号受信までの時間であり、Ts[uID1]≦Tsmax、またはこれを測定するタイマである。また、Tsmaxは、利用要求信号送信問隔の最大値であり、同じユーザ識別情報を含む利用要求信号受信間隔がTsmax以下の場合、利用要求信号を連続して受信したと判断する固定値である。なお、Ts[uID1］≦Tsmaxである。なお、固定センサ装置２１（２２）が受信する利用要求信号に含まれるユーザ識別情報は、ここでは、uID1と表記されている。
【００５６】
上記した本発明実施形態によれば、固定センサ装置２１（２２）は、移動端末１がセンサ圏内に留まっているか否かを確認することができる。
【００５７】
図１８、図１９は、本発明の更に他の実施形態における固定センサ装置の動作を示すフローチャートである。
固定センサ装置２１（２２）は、まず、タイマ（Tq［i］）をリセットする（Ｓ１９１）。次に、移動端末１から無線による利用要求信号の受信を検知する（Ｓ１９２）。具体的には、無線通信部２１１を介して受信した電波の電波強度が基準値以上であることが制御部２１７によって確認される時（Ｓ１９３）、その利用要求信号からユーザ識別情報uID1の読出しが行われる（Ｓ１９４）。そして、制御部２１７は、サービス利用が可能なユーザであることを確認し（Ｓ１９５）、更に、前回のセンサデータ［uID1］生成から経過した時間を計測するタイマ値Tq［uID1］が、センサデータ[uID1]の生成から次回のセンサデータ[uID1]の生成までの時間を測定する最大タイマ値Tq5を越えないことを確認して（Ｓ１９６）、センサデータ［uID1］を生成する（図１９、Ｓ１９７）。すなわち、Tq［uID1］＜Tq5の間は、uID1を含む利用要求信号を受信してもセンサデータ[uID1]を生成しない。
センサ２１２でセンサデータ[uID1]を生成した後、タイマTq［uID1］をスタートさせ（Ｓ１９８）、同時に利用者確認信号を、無線通信部２１１を介して移動端末１へ送信する（Ｓ１９９）。このとき、利用者確認信号送信から利用者確認応答信号受信までの待ち時間Tpを監視するタイマをスタートさせる（Ｓ２００）。
【００５８】
続いて、Tpが利用者確認信号送信から利用者確認応答信号受信までの最大受信待ち時間Tpmax以内にあるときのみ移動端末１から利用者確認応答信号を受信し（Ｓ２０１、Ｓ２０２）、その信号中からuID3（固定センサ装置２１（２２）が受信する、利用者確認応答信号に含まれる、移動端末１のユーザ識別情報）、dID3（固定センサ装置２１（２２）が受信する、利用者確認応答信号に含まれる、固定センサ装置２１（２２）の装置識別情報）を抽出する（Ｓ２０３）。
次に、uID3がuID1と一致することを確認して（Ｓ２０４）、利用者確認応答信号に含まれる装置識別情報がdID3が自装置識別情報dID_iと一致する時にセンサ信号を生成し、当該センサ信号は、固定センサ装置２１（２２）からセンタ装置６ヘネットワーク５を介して送られる（Ｓ２０５〜Ｓ２０７）。このとき、複数回分のセンサデータ［uIDi]を纏めて送ってもよい。
【００５９】
なお、ここで、uID1は、固定センサ装置２１（２２）が受信する、利用要求信号に含まれる、移動端末のユーザ識別情報、あるいは固定センサ装置２１（２２）が送信する、利用者確認応答信号に含まれる、移動端末１のユーザ識別情報、あるいは固定センサ装置２１（２２）が送信するセンサ信号[uID1］に含まれる、移動端末１のユーザ識別情報である。
また、Tq［uID1］は、センサデータ［uID1］生成から経過した時間を計測するタイマであり、Tq［uID1］＜Tq5の間は、uID1を含む利用要求信号を受信してもセンサデータ[uID1]を生成しない。更に、Tq［uID1］は、センサデータ[uID1]の生成から次回のセンサデータ[uID1]の生成までの時間を測定するタイマであり、Tq［uID1］＜Tq5の問は、uID1を含む利用要求信号を受信してもセンサデータ[uID1〕を生成しない。
【００６０】
また、Tpは、利用者確認信号送信から判用者確認応答信号受信までの実際の待ち時間を測定するタイマであり、Tp≦Tpmaxである。Tpmaxは、確認認信号送信から利用者確認応答信号受信までの最大受信待ち時間を示す。
また、dID_iは、固定センサ装置２１（２２）が送信する利用者確認信号に含まれる固定センサ装置２１（２２）の自ユーザ識別情報、uID3は、固定センサ装置２１（２２）が受信する、利用者確認応答信号に含まれる移動端末１のユーザ識別情報、dID3は、固定センサ装置２１（２２）が受信する、利用者確認応答信号に含まれる、国定センサ装置２１（２２）の装置識別情報である。また、センサデータ[uID1]は、uID1を含む利用要求信号を受信した時に、固定センサ装置２１（２２）が生成するセンサデータであり、センサ信号[uID1]は、uID1とセンサデータ[uID1］を含む信号である。
【００６１】
本発明実施形態によれば、簡単なアルゴリズムで実現が可能であり、利用者の固定センサ装置２１（２２）付近での滞在期間を固定センサ装置２１（２２）が把握できる。なお、固定センサ装置２１（２２）が利用要求信号を受信した期間は、利用者の固定センサ装置２１（２２）付近での滞在期間に等しい。
【００６２】
図２０、図２１は、本発明の他の実施形態における移動端末の動作を示すフローチャートである。
移動端末１は、まず、利用要求信号生成部１１により、自身のユーザ識別情報（uID_i）を含む利用要求信号を生成する（図２０、Ｓ２１１）。この利用要求信号は、所定の間隔Ts（利用要求信号送信間隔）をもって送信され（Ｓ２１２）、制御部１３は、このTsを計時するためにタイマをスタートさせると共に（Ｓ２１３）、無線送信制御部１２のパワーアップ制御を行う（Ｓ２１４）。そして、無線通信部１２を介し、利用要求信号生成部１１で生成された利用要求信号を無線送信する（Ｓ２１５）。無線送信後は、制御部１３による無線信号送信部（無線通信部１２）のパワーダウン制御が行われ（Ｓ２１６）、代わって無線信号受信部（無線通信部１２）のパワーアップ制御が行われる（Ｓ２１７）。同時に、利用要求信号送信から利用者確認信号受信までの最大受信待ち時間を監視するTrを計時するためのタイマをスタートさせる（Ｓ２１８）。
【００６３】
続いてTrのタイムアウトを監視し（Ｓ２１９）、このタイムアウトが検知されるまで上記した利用者確認信号の受信待ちを行い（Ｓ２２２）、利用者確認信号の中からユーザ識別情報uID2、ならびに固定センサ装置２１（２２）の装置識別情報dID2を抽出する（Ｓ２２３）。
次に、利用者確認信号に含まれるユーザ識別情報uID2が自ユーザ識別情報uID_iと一致する時に無線信号受信部（無線通信部１２）のパワーダウン制御を行い（Ｓ２２４、Ｓ２２５）、利用者確認信号受信から利用者確認応答信号送信までの時間監視を行うTmのタイマスタートを開始する（Ｓ２２６）。そして、制御部１３は、Tmのタイムアウトを検出して無線信号送信部（無線通信部１２）のパワーアップ制御を行い（Ｓ２２７、Ｓ２２８）、利用者確認応答信号を送信して無線信号送信部のパワーダウン制御を行う（Ｓ２２９、Ｓ２３０）。
【００６４】
続いて、移動端末１の利用者確認応答信号送信から次回の利用要求信号送信までの間隔を測定するタイマTq6をスタートさせる（Ｓ２３１）。Tq6のタイムアウトを検知して（Ｓ２３２）、図２０に示すＳ２１２以降の処理を繰り返す。
一方、Ｓ２１９の処理でTr終了が確認されたときに、制御部１３は、無線信号受信部（無線通信部１２）のパワーダウン制御を行い（Ｓ２２０）、Tsの終了を待って（Ｓ２１１）同じく図２０に示す以降の処理を繰り返す。
【００６５】
なお、uID_iは、移動端末１の自ユーザ識別情報、uID2は、移動端末１が受信する、利用者確認信号に含まれる、移動端末のユーザ識別情報、dID2は、移動端末１が受信する、利用者確認信号に含まれる固定センサ装置２１（２２）の装置識別情報、あるいは移動端末１が送信する、利用者確認応答信号に含まれる、固定センサ装置２１（２２）の装置識別情報である。ここでは、移動端末１が受信する利用者確認信号に含まれるユーザ識別情報と装置識別情報は、uID2、dID2と表記されている。また、利用者確認応答信号は、ユーザ識別情報がuID_iの移動端末１が送信する時、uID_iとdID2を含む。また、Tq6は、移動端末１の利用者確認応答信号送信から次回の利用要求信号送信までの間隔、またはこれを測定するタイマである。
本発明実施形態によれば、移動端末１の消費電力を削減でき、他の移動端末１との競合を抑制できる。
【００６６】
図２２、図２３は、本発明の更に他の実施形態における移動端末の動作を示すフローチャートである。
移動端末１は、まず、Tq7をリセットする（Ｓ２３１）。ここで、Tq7は、移動端末１が利用要求信号送信間隔を大きくする期間であり、これを測定するタイマである。続いて、利用要求信号生成部１１により、自身のユーザ識別情報（uID_i）を含む利用要求信号を生成する（図２０、Ｓ２３２）。
この利用要求信号は、所定の期間Ts1、Ts2（利用要求信号送信間隔）をもって送信され（Ｓ２３３）、制御部１３は、このTs1、Ts2を計時するためにタイマをスタートさせると共に（Ｓ２３４）、無線送信制御部１２のパワーアップ制御を行う（Ｓ２３５）。ここで、Ts1は、短い間隔の利用要求信号送信間隔であり、これを測定するタイマである。固定値または変動値であって、Ts1min≦Ts1≦Ts1max、Ts1max≦Ts1minで定義される。また、Ts2は、長い間隔の利用要求信号送信間隔であり、これを測定するタイマである。Ts2は、図定値または変動値であって、Ts2min≦Ts2≦Ts2max、Ts1max≦Ts2minで定義される。
【００６７】
そして、無線通信部１２を介し、利用要求信号生成部１１で生成された利用要求信号を無線送信する（Ｓ２３６）。無線送信後は、制御部１３による無線信号送信部（無線通信部１２）のパワーダウン制御が行われ（Ｓ２３７）、代わって無線信号受信部（無線通信部１２）のパワーアップ制御が行われる（Ｓ２３８）。同時に、利用要求信号送信から利用者確認信号受信までの最大受信待ち時間を監視するTrを計時するためのタイマをスタートさせる（Ｓ２３９）。
続いてTrのタイムアウトを監視し（図２３、Ｓ２４０）、このタイムアウトが検知されるまで上記した利用者確認信号の受信を行い（Ｓ２４４）、利用者確認信号の中からユーザ識別情報uID2、ならびに固定センサ装置２１（２２）の装置識別情報dID2を抽出する（Ｓ２４５）。
次に、利用者確認信号に含まれるユーザ識別情報uID2が自ユーザ識別情報uID_iと一致する時に無線信号受信部（無線通信部１２）のパワーダウン制御を行い（Ｓ２４６、Ｓ２４７）、利用者確認信号受信から利用者確認応答信号送信までの時間監視を行うTmのタイマスタートを開始する（Ｓ２４８）。そして、制御部１３は、Tmのタイムアウトを検出して無線信号送信部（無線通信部１２）のパワーアップ制御を行い（Ｓ２４９、Ｓ２５０）、利用者確認応答信号を送信して無線信号送信部のパワーダウン制御を行う（Ｓ２５１、Ｓ２５２）。
【００６８】
続いて、利用要求信号送信間隔を大きくする期間を示すタイマTq7をスタートさせ（Ｓ２５３）、利用要求信号送信間隔が比較的長く設定されたTs2のタイムアウトを検知して図２２のＳ２３３以降の処理を繰り返す（Ｓ２５４）。
一方、Ｓ２４０の処理でTr終了が確認されたときに、制御部１３は、無線信号受信部（無線通信部１２）のパワーダウン制御を行い（Ｓ２４１）、続いて、Tq7のタイムアウトを検出し（Ｓ２４２）、利用要求信号送信間隔が比較的短く設定されたTs1のタイムアウトを待って同じく図２２に示すＳ２３３以降の処理を繰り返す。Tq7のタイムアウトが検出されない場合は（Ｓ２４２）、Ts2のタイムアウトを検出して図２２のＳ２３３以降の処理を繰り返す（Ｓ２５４）。
【００６９】
図２４〜図２６は、本発明の更に他の実施形態における移動端末の動作を示すフローチャートである。
図２４において、移動端末１は、まず、dID0をリセットする（Ｓ２６１）。ここで、dID0は、移動端末１が前回受信した利用要求信号に含まれる固定センサ装置の装置識別情報を示す。続いて、利用要求信号生成部１１により、自身のユーザ識別情報（uID_i）を含む利用要求信号を生成する（Ｓ２６２）。この利用要求信号は、所定の期間Ts1、Ts2（利用要求信号送信間隔）をもって送信され（Ｓ２６３）、制御部１３は、このTs1、Ts2を計時するためにタイマをスタートさせると共に（Ｓ２６４）、無線送信制御部１２のパワーアップ制御を行う（Ｓ２６５）。ここで、Ts1は、比較的短く設定される利用要求信号送信間隔であり、これを測定するタイマである。固定値または変動値であって、Ts1min≦Ts1≦Ts1max、Ts1max≦Ts1minで定義される。また、Ts2は、比較的長く設定される利用要求信号送信間隔であり、これを測定するタイマである。Ts2は、固定値または変動値であって、Ts2min≦Ts2≦Ts2max、Ts1max≦Ts2minで定義される。
【００７０】
そして、無線通信部１２を介し、利用要求信号生成部１１で生成された利用要求信号を無線送信する（Ｓ２６６）。無線送信後は、制御部１３による無線信号送信部（無線通信部１２）のパワーダウン制御が行われ（Ｓ２６７）、代わって無線信号受信部（無線通信部１２）のパワーアップ制御が行われる（Ｓ２６８）。同時に、利用要求信号送信から利用者確認信号受信までの最大受信待ち時間を監視するTrを計時するためのタイマをスタートさせる（Ｓ２６９）。
続いてTrのタイムアウトを監視し（図２５、Ｓ２７０）、このタイムアウトが検知されるまで上記した利用者確認信号の受信を行い（Ｓ２７３）、利用者確認信号の中からユーザ識別情報uID2、ならびに固定センサ装置２１（２２）の装置識別情報dID2を抽出する（Ｓ２７４）。
【００７１】
次に、利用者確認信号に含まれるユーザ識別情報uID2が自ユーザ識別情報uID_iと一致する時に無線信号受信部（無線通信部１２）のパワーダウン制御を行い（Ｓ２７５、Ｓ２７６）、利用者確認信号受信から利用者確認応答信号送信までの時間監視を行うTmのタイマスタートを開始する（Ｓ２７７）。そして、制御部１３は、Tmのタイムアウトを検出して無線信号送信部（無線通信部１２）のパワーアップ制御を行い（Ｓ２７８、Ｓ２７９）、利用者確認応答信号を送信して無線信号送信部のパワーダウン制御を行う（Ｓ２８０、Ｓ２８１）。
【００７２】
続いて、dID2（移動端末１が受信する利用者確認信号に含まれる固定センサ装置２１（２２）のユーザ識別情報）とdID0（前回受信したユーザ識別情報）が一致することを確認して（Ｓ２８２）、利用要求信号送信間隔が比較的長く設定されたTs2のタイムアウトを待って図２４に示すＳ２６３以降の処理を繰り返す。
一方、Ｓ２８３の処理で不一致が確認された場合は、dID0にDID2の値を代入して利用要求信号送信間隔が比較的短く設定されたTs1のタイムアウトを待って図２４に示すＳ２６３以降の処理を繰り返す。なお、Ｓ２７０の処理で利用要求信号送信から利用者確認信号受信までの最大待ち時間を測定するタイマTrのタイムアウトが確認されたときに、制御部１３は、無線信号受信部（無線通信部１２）のパワーダウン制御を行い（Ｓ２７１）、続いて、dID0をリセットして、Ts1のタイムアウトを待ち、同じく図２４に示すＳ２６３以降の処理を繰り返す。
【００７３】
以上説明のように本発明は、情報収集・提供手段が、移動端末により無線で起動された固定センサ装置により収集された環境情報をネットワーク経由でセンタ装置へ送信し、当該センタ装置で環境情報を蓄積し、更にネットワークに接続された情報読出し装置からの要求に基づき蓄積された環境情報を提供する構成としたものであり、移動端末は、比較的消費電力の大きな固定サンサ装置をセンスする機能が不要になり、電池寿命の延命化がはかれ、かつ、低コストで実現できるものである。また、本発明によれば、以下に列挙する効果も得られる。
【００７４】
また、本発明によれば、以下に列挙する効果が得られる。
（１）移動端末は、利用要求信号送信機能のみでよく、センサ機能は必要ないため、低コストに実現できる。
（２）時間Tsを変動値にすることにより、複数の移動端末から送信される利用要求信号の衝突を回避することが可能となる。
（３）移動端末１が、固定センサ装置２１（２２）に一定距離以内に近づいた場合にのみ、センサ信号が生成されてセンタ局に送信され、移動端末に近い固定センサ装置２１（２２）のみからのセンサデータを収集できるため、センサデータの位置精度を向上させることが可能となる。
（４）移動端末１は、パワーマネジメントにより消費電力を削減でき、電池の延命化がはかれる。
（５）固定センサ装置２１（２２）は、移動端末１がセンサ圏内に留まっているか否かを確認することができる。
（６）簡単なアルゴリズムで実現が可能であり、利用者の国定センサ装置２１（２２）付近での滞在期間を固定センサ装置２１（２２）自身が把握できる。
（７）移動端末１の消費電力を削減できる他に、他の移動端末１との競合を抑制できる。
【００７５】
なお、本発明実施形態によれば、センサデータは、固定センサ装置２１（２２）の装置識別情報を含むため、センタ装置６が装置識別情報から固定センサ装置２１（２２）の設置場所を知ることが可能となり、ユ一ザの位置と関連付けた管理が可能になる。更に、センサデータがデータ生成時刻情報を含むため、固定センサ装置２１（２２）は、利用要求信号を受信してから即座にセンサ信号を送信する必要がなく、センサデータを纏めて送信することが可能となる。また、センサデータ生成時刻を高い精度で得ることができる。更に、情報要求信号にユーザ識別情報を含めることで１つの情報読出し端末を複数のユーザが利用できるといった効果も得られる。
【図面の簡単な説明】
【００７６】
【図１】本発明における情報収集・提供システムの一実施形態を示す図である。
【図２】図１に示す固定センサ装置の内部構成の一例を示すブロック図である。
【図３】図１に示す移動端末の内部構成の一例を示す図である。
【図４】図１に示すセンタ装置の内部構成の一例を示す図である。
【図５】図１に示す情報読出し端末の内部構成の一例を示す図である。
【図６】本発明における情報収集・提供システムの他の実施形態を示す図である。
【図７】本発明一実施形態の動作タイミングチャートである。
【図８】本発明一実施形態の動作を示すフローチャートである。
【図９】本発明一実施形態の動作を示すフローチャートである。
【図１０】本発明一実施形態の動作を示すフローチャートである。
【図１１】本発明一実施形態の動作を示すフローチャートである。
【図１２】本発明における他の実施形態の動作を示すフローチャートである
【図１３】本発明における他の実施形態の動作を示すフローチャートである
【図１４】本発明における他の実施形態の動作を示すフローチャートである
【図１５】本発明における他の実施形態の動作を示すフローチャートである
【図１６】本発明における他の実施形態の動作を示すフローチャートである
【図１７】本発明における他の実施形態の動作を示すフローチャートである
【図１８】本発明における他の実施形態の動作を示すフローチャートである
【図１９】本発明における他の実施形態の動作を示すフローチャートである
【図２０】本発明における他の実施形態の動作を示すフローチャートである
【図２１】本発明における他の実施形態の動作を示すフローチャートである
【図２２】本発明における他の実施形態の動作を示すフローチャートである
【図２３】本発明における他の実施形態の動作を示すフローチャートである
【図２４】本発明における他の実施形態の動作を示すフローチャートである
【図２５】本発明における他の実施形態の動作を示すフローチャートである
【図２６】本発明における他の実施形態の動作を示すフローチャートである
【符号の説明】
【００７７】
１…移動端末、５…ネットワーク、６…センタ装置、７…情報読出し端末、２１（２２）…固定センサ装置、３１（３２）…センサ圏
【図１】
2005311716.tif 000003
【図２】
2005311716.tif 000004
【図３】
2005311716.tif 000005
【図４】
2005311716.tif 000006
【図５】
2005311716.tif 000007
【図６】
2005311716.tif 000008
【図７】
2005311716.tif 000009
【図８】
2005311716.tif 000010
【図９】
2005311716.tif 000011
【図１０】
2005311716.tif 000012
【図１１】
2005311716.tif 000013
【図１２】
2005311716.tif 000014
【図１３】
2005311716.tif 000015
【図１４】
2005311716.tif 000016
【図１５】
2005311716.tif 000017
【図１６】
2005311716.tif 000018
【図１７】
2005311716.tif 000019
【図１８】
2005311716.tif 000020
【図１９】
2005311716.tif 000021
【図２０】
2005311716.tif 000022
【図２１】
2005311716.tif 000023
【図２２】
2005311716.tif 000024
【図２３】
2005311716.tif 000025
【図２４】
2005311716.tif 000026
【図２５】
2005311716.tif 000027
【図２６】
2005311716.tif 000028